(57)【要約】【目的】この発明は、交流電圧の供給を受けて低電圧に変換するための小型・軽量でしかも変換効率と力率が良く、低コストな小容量電源装置を実現するためのものである。【構成】交流電圧の接続端子（１）と（２）との間に１００Ｖの交流電圧を印加すると、第一のコンデンサ（５）と第二のコンデンサ（９）により２Ｖ近くに分圧することで、低電圧の交流出力を端子（３）と（４）の間に出力する。【選択図】          図２
2004248333.tif 000002
【特許請求の範囲】
【請求項１】
交流電圧を印加して使用する電源装置において、当該交流電圧の入力端子の間に電流を制限するためのコンデンサと過度な電圧を制限するための電圧制限素子あるいは電圧制限回路を直列に接続し、当該電圧制限素子あるいは電圧制限回路の端子間の電圧を出力端子に接続することを特徴とする小容量電源装置
【請求項２】
交流電圧を印加して使用する電源装置において、当該交流電圧の入力端子の間に電流を制限するための第一のコンデンサと当該第一のコンデンサと接続して電圧を分割するための第二のコンデンサを直列に接続し、当該第二のコンデンサの端子間の電圧を出力端子に接続することを特徴とする小容量電源装置
【請求項３】
交流電圧を印加して使用する電源装置において、当該交流電圧の入力端子の間に電流を制限するための第一のコンデンサと過度の電圧を制限するための電圧制限素子あるいは電圧制限回路あるいは当該第一のコンデンサと接続して電圧を分割するための第二のコンデンサを直列に接続し、当該電圧制限素子あるいは電圧制限回路の端子間あるいは当該第二のコンデンサの端子間に整流回路を介して第三のコンデンサあるいは充電可能な蓄電池を接続し、当該第三のコンデンサあるいは当該蓄電池の端子間の電圧を出力端子に接続することを特徴とする小容量電源装置
【請求項４】
交流電圧を印加して使用する電源装置において、当該交流電圧の入力端子の間に電流を制限するために複数個設けられた第一のコンデンサと当該第一のコンデンサと接続して電圧を分割するために複数個設けられた第二のコンデンサを高誘電率の絶縁体を用いて一体構造として構成しあるいは絶縁体上に近接して配置し、当該第二のコンデンサの個別の端子間に整流回路を接続し、当該第二のコンデンサの複数間を出力端子に接続することを特徴とする小容量電源装置
【請求項５】
当該コンデンサを交流電圧に接続瞬間の突入電流を制限するために固定抵抗器あるいはリアクタを直列に接続し、あるいは当該コンデンサの内高電圧に帯電する可能性のあるものに帯電した電荷を放電するための放電手段を接続し、あるいは当該コンデンサが短絡事故を起こした際に当該コンデンサを回路から自動的に切り離すための手段を接続し、あるいはこれらの組合せを接続することを特徴とする請求項第１項から第４項に記載の小容量電源装置
【請求項６】
当該複数のコンデンサの一部あるいは全部が高誘電率の絶縁材料を用いて電極を積層状にした積層コンデンサであり、当該積層コンデンサをベースあるいはヘッダーあるいは基板として電気部品の一部あるいは全部が一体構造あるいはハイブリッド回路として組み立てられ、あるいは当該積層コンデンサと電気部品の一部あるいは全部がプリント基板上に組立てられ、当該ハイブリッド回路あるいはプリント基板を樹脂製の成型品に封じ込め、リード線あるいは差し込み式のプラグあるいはねじこみ式の口金あるいは着脱が可能な接続端子を介して当該交流電圧に接続することを特徴とする請求項第１項から第５項に記載の小容量電源装置
【請求項７】
当該負荷装置の動作電圧がＡＣ１２ＶあるいはＤＣ±１２Ｖ以下の低電圧であることを特徴とする請求項第１項から第６項に記載の小容量電源装置
【請求項８】
当該負荷装置が単一あるいは複数の発光ダイオードあるいは少なくとも２個の発光ダイオードを逆向きに接続したものあるいは破損を防止するための保護手段と発光ダイオードの組合せから構成されており、当該発光ダイオードが透明あるいは半透明の樹脂製成型品に収められており、リード線あるいは着脱可能な口金あるいはＡＣプラグを有することを特徴とする請求項第１項から第７項に記載の小容量電源装置
【請求項９】
当該負荷装置が当該交流電圧に重畳されて伝送され突入電流を制限するためのリアクタの両端に誘起する制御信号を受信して内部あるいは外部の装置を制御しあるいは当該装置の状態を表示することを特徴とする請求項第１項および第８項に記載の小容量電源装置
【請求項１０】
当該電流を制限するための第一のコンデンサと交流電圧を分圧するための第二のコンデンサがリアクタかあるいはコンデンサとリアクタあるいはトランスとコンデンサあるいはリアクタとの組合せであることを特徴とする請求項第１項および第９項に記載の小容量電源装置
【発明の詳細な説明】
【００１】
【産業上の利用分野】
この発明は、近年の半導体素子あるいは集積回路が低電圧でしかも小電流で動作するようになっていることから、交流電圧の供給を受けて低電圧に変換するための小型・軽量でしかも変換効率と力率が良く、低コストな小容量電源装置を実現するためのものである。
【００２】
【従来の技術】
図８は、従来の発光ダイオードを交流電圧で点灯するための構成図であり、１、２は交流電圧の接続端子、５はコンデンサ、２４ａ、２４ｂ、−−２４ｎは発光ダイオード、１０は整流用ダイオードである。
従来の構成図は、例えば、特開平０７−２７３３７１に記載された発光ダイオード駆動回路によるものであり、交流電圧の接続端子１と２との間に１００Ｖの交流電圧を印加し、コンデンサ５により発光ダイオード２４ａ、２４ｂ、−−２４ｎに流れる電流を制限する。整流用ダイオード１０は交流電圧を整流して発光ダイオード２４ａ、２４ｂ、−−２４ｎに直流電圧を印加するためのものである。従来の構成図は以上のように構成されているため、交流電圧のＯＮ／ＯＦＦや瞬断した時や雷サージなどが混入した時に発光ダイオードに過大な電流が流れあるいは過大な電圧が印加され、当該発光ダイオードが破損してしまうという重大な問題を抱えている。この問題は、コンデンサが電圧の急激な変化に対して短絡状態になるために起こることを実験で確かめている。すなわち、正の反サイクルでコンデンサが充電され、正の電圧の頂点で切り離され、負の頂点で再び接続されると発光ダイオードには交流電圧の２倍の電圧が印加されるめである。
また、交流電圧のＯＮ／ＯＦＦのタイミングによってはコンデンサ５に高電圧が帯電する場合があるため人体に危険な状態が生じ、また、コンデンサ５により電流を制限しているため電圧の変換効率は良いが、交流電圧に対する負荷力率が悪く電力供給に対して阻害要因となる等の問題点もあることが指摘されている。
上記の他に、交流電圧を直接整流して１１４Ｖの直流電圧を得てこれに直列に５〜６ＫΩの固定抵抗器と発光ダイオードを接続し電流を２０ｍＡ程度に制限する方法が採られているが、この場合、発光ダイオードに印加される電圧は２Ｖ程度であるため電力効率は０．０４Ｗ／２Ｗ＝２％と極端に低い値となる。
【００３】
【課題を解決するための手段】
この発明に係わる小容量電源装置は、電力損失の少ないコンデンサあるいはリアクタを用いて電流を制限する場合に、過電圧制限素子あるいは過電圧制限回路を接続しあるいは第二のコンデンサを挿入して交流電圧を分圧しあるいはこれらの組合せにより出力端子間に生じる過大な電圧を制限する手段を採用しており、小型化と低コスト化、および電力効率と力率を飛躍的に改善できるメリットがある。
【００４】
【作用】
この発明において、
請求項の第１項では、突入電流を制限するためのリアクタと電流を制限するためのコンデンサと過度な電圧を制限するための電圧制限素子を直列に接続することで、負荷に供給する電流と電圧を制限する。
請求項の第２項では、第二のコンデンサを接続して分圧することで負荷に供給される電圧を制限する。
請求項の第３項では、上記の他に、整流回路を介して第三のコンデンサを接続し、当該第三のコンデンサの端子間の電圧を出力端子に接続する。
請求項の第４項では、当該第一のコンデンサと第二のコンデンサが複数個設けられ、当該個別の第二のコンデンサの端子間に整流用ダイオードが接続され、当該複数の第二のコンデンサ間に出力端子が接続される。
請求項の第５項では、コンデンサに突入電流を制限するための固定抵抗器あるいはリアクタを接続し、コンデンサに蓄電した電荷を放電するための放電手段を接続する。
請求項の第６項では、当該複数のコンデンサが高誘電率の絶縁体を用いて積層コンデンサとして構成され、当該積層コンデンサをベースとして他の電気部品と共にハイブリッド回路に組立られ、当該ハイブリッド回路を樹脂製のケースに収納し、リード線あるいはプラグあるいは口金あるいは着脱可能な手段で交流電圧に接続する。
請求項の第７項では、負荷が交流の場合は１２Ｖ以下、直流の場合は±１２Ｖ以下の低電圧で動作する。
請求項の第８項では、負荷が発光ダイオードである。
請求項の第９項では、負荷が当該交流電圧に重畳され当該リアクタの両端に誘起する制御信号を受信して内部あるいは外部の装置を制御する。
請求項の第１０項では、電流を制限するコンデンサあるいは交流電圧を分圧するコンデンサがリアクタあるいはトランスとコンデンサあるいはリアクタとの組みあわせである。
【００５】
【実施例】
以下、本発明の実施例を図１に従って説明する。図１において、１、２は交流電圧の入力端子、３、４は交流電圧の出力端子、５はコンデンサ、６はリアクタ、７は放電のための固定抵抗器、８は電圧制限素子である。
交流電圧の入力端子１と２の間に１００Ｖの交流電圧を印加すると、リアクタ６とコンデンサ５および電圧制限素子８を通じて交流電流が流れ、交流の出力端子３と４の間に例えば２Ｖ程度の低圧電圧が出力される。
交流電圧を入力端子１と２の間に印加すると、当該交流電圧のサイクルによってはいきなり高電圧が印加され、コンデンサ５が短絡状態となることから過度な突入電流が流れ、出力端子間に過大な電圧が出力される場合がある。過度な電量を防止するためリアクタ６が接続され、過大な電圧を防止するため電圧制限素子８が接続される。
また、遮断される交流電圧のサイクルによってはコンデンサ５に電荷が蓄積され帯電状態となる場合があるので、放電のための固定抵抗器７が接続される。
コンデンサ５の容量値は、負荷のに流れる最大電流をＩとし、交流入力電圧を１００Ｖ、交流出力電圧を２Ｖとすると、Ｃ＝Ｉ／（９８×ｊω）で近似される。例えば、電流を１０ｍＡに制限する場合にはＣ＝０．３μＦとなり、高耐圧のセラミックコンデンサを用いても４ｍｍ×３ｍｍ程度で小型化が可能となり、小型のケース内に収納できる大きさとなる。
ここで、従来のように抵抗器を用いて電流制限をした場合と電力効率を比較してみると、固定抵抗器だけで電流を制限するために１００Ｖの電圧を２Ｖまで下げると効率は２％になるのに対して、コンデンサ５で電圧を下げると効率を９８％程度まで改善することができる。
ただし、本実施例では、電圧制限素子８が動作する場合には効率が下がることと力率が悪いのが欠点として残るが、力率については、通常の家電品がトランスあるいはモーターを用いているために無効電流が遅れ電流であるのに対してコンデンサ５を用いることで進み電流となるので、家庭内の全体の交流電源に対する力率の改善には役立つことになる。
また、印加された交流電圧に当該交流電圧の周波数より高い周波数の制御信号が重畳されている場合には、当該制御信号は当該リアクタ６の両端に顕著に誘起するので、当該制御信号を受信することで、内部あるいは外部の装置を制御あるいは表示させることができる等のメリットがある。
【００６】
図２に本発明の他の実施例を示し、１、２は交流電圧の入力端子、３、４は交流電圧の出力端子、５は第一のコンデンサ、６はリアクタ、７は放電のための固定抵抗器、８は電圧制限素子、９は第二のコンデンサである。
交流電圧の入力端子１と２の間に１００Ｖの交流電圧を印加すると、リアクタ６と第一のコンデンサ５および第二のコンデンサ９と電圧制限素子８を通じて交流電流が流れ、交流の出力端子３と４の間に例えば２Ｖ程度の低圧電圧が出力される。
交流電圧を入力端子１と２の間に印加すると、当該交流電圧のサイクルによってはいきなり高電圧が印加され、第一のコンデンサ５が短絡状態となることから過度な突入電流が流れ、出力端子間に過大な電圧が出力される場合がある。過度な電量を防止するためリアクタ６が接続され、過大な電圧を防止するため第二のコンデンサ９と電圧制限素子８が接続される。
また、遮断される交流電圧のサイクルによってはコンデンサ５に電荷が蓄積され帯電状態となる場合があるので、放電のための固定抵抗器７が接続される。
第一のコンデンサ５の容量値は、負荷に流れる最大電流をＩとし、交流入力電圧を１００Ｖ、交流出力電圧を２Ｖとすると、Ｃ＝Ｉ／（９８×ｊω）で近似される。例えば、電流を１０ｍＡに制限する場合にはＣ＝０．３μＦとなり、高耐圧のセラミックコンデンサを用いても４ｍｍ×３ｍｍ程度で小型化が可能となり、小型のケース内に収納できる大きさとなる。
第二のコンデンサ９は印加した交流電圧を第一のコンデンサ５との間で分圧し、電圧の変換効率を高めるとともに負荷力率を飛躍的に高める効果がある。交流入力端子１と２から見たインピーダンスＺは、Ｚ＝（（Ｒｌ×Ｃ２）／Ｃ１）＋１／（ｊωＣ１）で表せる。ここで、Ｒｌは出力端子３と４間に接続される負荷装置の抵抗値、Ｃ１は第一のコンデンサ５の容量値、Ｃ２は第二のコンデンサ９の容量値であり、（Ｃ２×Ｒｌ）＜＜１、Ｃ１＜＜Ｃ２が成立するものとする。
ここで、交流入力電圧を１００Ｖとし交流出力電圧を２ＶとするとＣ２／Ｃ１＝５０程度となるため、リアクタ６による若干の改善と合わせて、当該出力端子３、４間に接続する負荷の力率を１００％と仮定すると、本実施例の総合力率を９０％以上にまで改善することができる。
【００７】
図３に本発明の他の実施例を示し、１、２は交流電圧の入力端子、３、４は直流電圧の出力端子、５は第一のコンデンサ、６はリアクタ、７は放電のための固定抵抗器、９は第二のコンデンサ、１４ａ、１４ｂ、１４ｃ、１４ｄは整流用のダイオード、１１は第三のコンデンサである。
交流電圧の入力端子１と２の間に１００Ｖの交流電圧を印加すると、リアクタ６と第一のコンデンサ５および第二のコンデンサ９を通じて交流電流が流れ、第二のコンデンサ９の両端に交流電圧が生じる。第二のコンデンサの両端に接続した整流用のダイオード１４ａ、１４ｂ、１４ｃ、１４ｄを介して出力端子３と４に直流電圧を出力する。
交流電圧を入力端子１と２の間に印加すると、当該交流電圧のサイクルによってはいきなり高電圧が印加され、第一のコンデンサ５が短絡状態となることから過度な突入電流が流れ、出力端子間に過大な電圧が出力される場合がある。過度な電量を防止するためリアクタ６が接続され、過大な電圧を防止するため第二のコンデンサ９および第三のコンデンサが接続される。
また、遮断される交流電圧のサイクルによっては第一のコンデンサ５に電荷が蓄積され帯電状態となる場合があるので、放電のための固定抵抗器７が接続される。
第一のコンデンサ５の容量値は、負荷に流れる最大電流をＩとし、交流入力電圧を１００Ｖ、交流出力電圧を２Ｖとすると、Ｃ＝Ｉ／（９８×ｊω）で近似される。例えば、電流を１０ｍＡに制限する場合にはＣ＝０．３μＦとなり、高耐圧のセラミックコンデンサを用いても４ｍｍ×３ｍｍ程度で小型化が可能となり、小型のケース内に収納できる大きさとなる。
第二のコンデンサ９は印加した交流電圧を第一のコンデンサとの間で分圧し、電圧の変換効率を高めるとともに負荷力率を飛躍的に高める効果がある。交流入力端子１と２から見たインピーダンスＺは、Ｚ＝Ｒｌ×（Ｃ２／Ｃ１）＋１／ｊωＣ１で表せる。ここで、Ｒｌは出力端子３と４間に接続される負荷装置の抵抗値、Ｃ１は第一のコンデンサ５の容量値、Ｃ２は第二のコンデンサ９の容量値である。
ここで、交流入力電圧を１００Ｖとし交流出力電圧を２ＶとするとＣ２／Ｃ１＝５０程度となるため、リアクタ６による若干の改善と合わせて、本実施例の力率を９０％以上にまで改善することができる。また、整流ダイオード１４ａ、１４ｂ、１４ｃ、１４ｄから構成される整流用ダイオードで整流し第三のコンデンサ１１によって直流電圧を端子３と４の間に出力することで、交流入力電圧をＯＮ／ＯＦＦするタイミングにより生じる過渡電圧を吸収できるメリットがある。
また、当該第三のコンデンサをスーパーキャパシタンスあるいは充電可能な蓄電池に置き換えても同様な効果が得られる。
【００８】
図４に本発明の他の実施例を示し、２１は交流電圧の接続端子、２２は口金、２３は透明あるいは半透明の樹脂製のケース、２４ａ、２４ｂは発光ダイオード、５は第一のコンデンサ、６はリアクタ、７は放電用固定抵抗器、８は過電圧制限素子、９は第二のコンデンサである。
交流電圧の接続端子２１と口金２２との間に１００Ｖの交流電圧を印加すると、第一のコンデンサ５と第二のコンデンサ９により当該交流電圧が２Ｖ程度に分圧され、過電圧制限素子８により過電圧が制限されて、発光ダイオード２４ａ、２４ｂに順方向の直流電圧が交互に印加されるようになる。
なお、コンデンサ１２は交流電圧を分圧する他に、印加した交流電圧に重畳してサージ電圧がかかった時に当該サージ電圧が直接発光ダーオード４に加わるのを軽減する効果が生じる。
また、発光ダイオード２４ａ、２４ｂを組み合わせることで明るさを調節しあるいは色調の調節が可能となる。
【００９】
図５に本発明の他の実施例を示し、２１は交流電圧の接続端子、２２は口金、２３は透明あるいは半透明の樹脂製のケース、２４ａ、２４ｂは発光ダイオード、５は第一のコンデンサ、６はリアクタ、７は放電用固定抵抗器、９ａ、９ｂは第二のコンデンサ、１０ａ、１０ｂは整流用ダイオード、１１ａ、１１ｂは第三のコンデンサである。
交流電圧の接続端子２１と口金２２との間に１００Ｖの交流電圧を印加すると、第一のコンデンサ５と第二のコンデンサ９ａ、９ｂにより当該交流電圧が２．６Ｖ程度に分圧され、整流用のダイオード１４ａ、１４ｂで整流され、更に第三のコンデンサ１０ａ、１０ｂで平滑されて、発光ダイオード２４ａ、２４ｂに順方向の直流電圧が継続して印加される。
なお、第三のコンデンサ１０ａ、１０ｂは、整流した直流電圧のリップルを除くための平滑コンデンサであり、印加した交流電圧に重畳してサージ電圧がかかった時に当該サージ電圧が直接発光ダーオード２４ａ、２４ｂに加わるのを防止する他に、交流点灯の場合に生じるフリッカを防止する効果がある。
また、発光ダイオード２４ａ、２４ｂを組み合わせることで明るさを調節しあるいは色調の調節が可能となる。
【０１０】
図６に本発明の他の実施例を示し、１、２は交流電圧の入力端子、３ａ、３ｂはコンデンサの電極（出力端子を兼ねる）、２３は透明あるいは半透明の樹脂モールド、２４は発光ダイオード、５ａ、５ｂは第一のコンデンサ、６はリアクタ、７ａ、７ｂは放電用固定抵抗器、９ａ、９ｂは第二のコンデンサ、１０ａ、１０ｂは整流用ダイオード、３１は電気回路である。
図６（ａ）は本実施例の回路図であり、入力端子１と２の間にコンデンサ５ａ、９ａおよび５ｂ、９ｂが直列に接続されており交流電圧をそれぞれの容量の逆数比で分割している。コンデンサ９ａの端子間に印加される交流電圧は整流用ダイオード１０ａで整流されコンデンサ９ａの端子間に直流電圧が誘起し、同様にコンデンサ９ｂの端子間にも直流電圧が誘起する。
コンデンサ９ａと９ｂの端子間に誘起する直流電圧は極性が逆方向なので発光ダイオード２４には順方向の電流が流れ発光する。放電用の固定抵抗器７ａ、７ｂはコンデンサ５ａ、５ｂに蓄えられる電荷を放電するためのものであり、６は突入電流を抑制するためのリアクタである。
図６（ｂ）は本実施例の外観図であり、電極３ａ、３ｂと入力端子１との間でコンデンサ５ａと５ｂを構成し、電極３ａ、３ｂと入力端子２との間でコンデンサ９ａと９ｂを構成し、これらのコンデンサ５ａ、５ｂ、９ａ、９ｂが高誘電率のセラミックを利用して積層コンデンサを構成し一体となって電気回路３１を組み立てるためのベースとなっており、全体が透明あるいは半透明の樹脂モールド２３に覆われている。
図６（ｃ）は本実施例の電気回路３１の詳細図であり、入力端子１には固定抵抗器７ａと７ｂが接続されており、電極３ａには固定抵抗器７ａ、発光ダイオード２４、整流用ダイオード１０ａが接続されており、電極３ｂには固定抵抗器７ｂ、発光ダイオード２４、整流用ダイオード１０ｂが接続されており、入力端子２には整流用ダイオード１０ａと１０ｂが接続されている。
本実施例では以上のように構成されているため、コンデンサ５ａ、５ｂ、９ａ、９ｂが複合化され一体となっており、これらをベースにして電気回路３１が自動組立できることから、小型化と低コスト化が実現できるメリットがある。
なお、当該第一のコンデンサの容量が小さく突入電流が小さい場合には、突入電流を制限するためのリアクタの変わりに、リード線あるいは交流入力端子あるいは電極３ａ、３ｂに高抵抗の材料を用いることで代替しているが、突入電流が大きくなる場合には外部にリアクタを追加する必要がある。
また、絶縁体はセラミック以外の高誘電率のものを利用しても同様な効果が得られる。
また、複合コンデンサを用いる代わりに通常の積層型セラミックコンデンサを用いてプリント基板上にハイブリッド回路として組み立てることも可能である。
また、複合コンデンサを円筒状あるいは平板状あるいは角柱状に構成しても同様な効果が得られる。
また、入力端子はリード線、口金、あるいはＡＣプラグなどを用いることができる。
また、リアクタ６は、突入電流が小さい時には省略でき、コンデンサが短絡事故を起こした際に回路を切り離す役割を果たす素子に置き換えるか兼ねさせることができる。
【０１１】
図７に本発明の他の実施例を示し、１、２は交流電圧の入力端子、３ａ、３ｂ、４ａ、４ｂはコンデンサの電極（出力端子を兼ねる）、２３は透明あるいは半透明の樹脂モールド、２４ａ、２４ｂは発光ダイオード、５ａ、５ｂ、５ｃ、５ｄは第一のコンデンサ、６ａ、６ｂはリアクタ、７ａ、７ｂ、７ｃ、７ｄは放電用固定抵抗器、９ａ、９ｂは第二のコンデンサ、１０ａ、１０ｂは整流用ダイオード、３１は電気回路である。
図７（ａ）は本実施例の回路図であり、入力端子１と２の間にコンデンサ５ａ、９ａ、５ｃ、および５ｂ、９ｂ、５ｄ、が直列に接続されており交流電圧をそれぞれの容量の逆数比で分割している。コンデンサ９ａの端子間に印加される交流電圧は整流用ダイオード１０ａで整流されコンデンサ９ａの端子間に直流電圧として誘起し、同様にコンデンサ９ｂの端子間にも直流電圧が誘起する。
コンデンサ９ａと９ｂの端子間に誘起する直流電圧は極性が逆方向なので発光ダイオード２４ａと２４ｂには順方向の電流が流れ発光する。放電用の固定抵抗器７ａ、７ｂ、７ｃ、７ｄはコンデンサ５ａ、５ｂ、５ｃ、５ｄに蓄えられる電荷を放電するためのものであり、６ａ、６ｂは突入電流を抑制するためのリアクタである。
図７（ｂ）は本実施例の外観図であり、電極３ａ、３ｂと入力端子１との間でコンデンサ５ａと５ｂを構成し、電極３ａ、３ｂと入力端子２との間でコンデンサ９ａと９ｂを構成し、これらのコンデンサ５ａ、５ｂ、９ａ、９ｂが高誘電率のセラミックを利用して積層コンデンサを構成し一体となって電気回路３１を組み立てるためのベースとなっており、全体が透明あるいは半透明の樹脂モールド２３に覆われている。
図７（ｃ）は本実施例の電気回路３１の詳細図であり、入力端子１には固定抵抗器７ａと７ｂが接続されており、電極３ａには固定抵抗器７ａ、発光ダイオード２４ａ、整流用ダイオード１０ａが接続されており、電極３ｂには固定抵抗器７ｂ、発光ダイオード２４ａ、整流用ダイオード１０ｂが接続されており、電極４ａには整流用ダイオード１０ａ、固定抵抗器７ｃ、発光ダイオード２４ｂが接続されており、電極４ｂには整流用ダイオード１０ｂ、固定抵抗器７ｄ、発光ダイオード２４ｂが接続されており、入力端子２には固定抵抗器７ａと７ｂが接続されている。
本実施例では以上のように構成されているため、コンデンサ５ａ、５ｂ、９ａ、９ｂ、５ｃ、５ｄが複合化され一体となっており、これらをベースにして電気回路３１が自動組立できることから、小型化と低コスト化が実現できるメリットがある。
なお、当該第一のコンデンサの容量が小さく突入電流が小さい場合には、突入電流を制限するためのリアクタの変わりに、リード線あるいは交流入力端子あるいは電極３ａ、３ｂおよび４ａ、４ｂに高抵抗の材料を用いることで代替しているが、突入電流が大きくなる場合には外部にリアクタを追加する必要がある。
また、絶縁体はセラミック以外の高誘電率のものを利用しても同様な効果が得られる。
また、複合コンデンサを用いる代わりに通常の積層型セラミックコンデンサを用いてプリント基板上にハイブリッド回路として組み立てることも可能である。
また、複合コンデンサを円筒状あるいは平板状あるいは角柱状に構成しても同様な効果が得られる。
また、入力端子はリード線、口金、あるいはＡＣプラグなどを用いることができる。
また、リアクタ６ａ、６ｂは、いずれか一方あるいは突入電流が小さい時には両方を省略でき、コンデンサが短絡事故を起こした際に回路を切り離す役割を果たす素子に置き換えるか兼ねさせることができる。
【０１２】
以上の説明では、交流電圧の分圧にコンデンサを用いたが、２個のチョークコイルを直列に接続したもの、あるいはトランスで分圧した交流電圧を更にコンデンサあるいはリアクタを用いて分圧する等の方法でも同様な効果が得られる。
また、突入電流を抑制するためのリアクタの変わりに固定抵抗器あるいはポリスイッチあるいはバリスター等の電流制限素子を用いることもできる。
また、発光ダイオードの数あるいは色調の組合せあるいは他の発光手段との組合せあるいは整流用ダイオードとの組合せは上記実施例に限定されるものでなく、数と接続の方向、色調等色々な組合せが考えられる。
また、発光ダイオードの代わりに、印加する交流電圧より低い電圧で点灯する発光素子を用いても同様な効果が得られる。
また、上記の実施例では負荷として発光ダイオードを接続する場合について述べたが、交流電圧を給電する電線を通じて伝送する信号によって出力端子への接続をＯＮ／ＯＦＦ制御するなどの制御手段を含む装置等、小容量の電源装置として応用するすることができる。
また、サージ電圧による発光ダイオードの破損防止には、バリスタ、ゼナーダイオード、その他の過電圧防止素子が有効である。
また、近年実用化が進んでいる面実装の超小型部品を用いることで微小なプリント基板上に実装できることから、装置全体の小型化が可能である。
また、過電圧制限素子の変わりに定電圧回路を接続しても同様な効果が得られる。
【０１３】
【発明の効果】
本発明は、上記のように構成されているため、回路構成が簡単で、小型で低コストな、しかも電力効率と力率の良い小容量の電源装置が実現できる。
【図面の簡単な説明】
【図１】本発明の一実施例を示す構成図である。
【図２】本発明の他の実施例である。
【図３】本発明の他の実施例である。
【図４】本発明の他の実施例である。
【図５】本発明の他の実施例である。
【図６】本発明の他の実施例である。
【図７】本発明の他の実施例である。
【図８】従来の実施例を示す構成図である。
【符号の説明】
１、２                      交流電圧の入力端子
３、４                      交流あるいは直流電圧の出力端子
５、５ａ、５ｂ、５ｃ、５ｄ  第一のコンデンサ（電流制限用）
６、６ａ、６ｂ              リアクタ
７、７ａ、７ｂ、７ｃ、７ｄ  放電用固定抵抗器
８                          過電圧制限素子
９、９ａ、９ｂ              第ニのコンデンサ（分圧用）
１０ａ、１０ｂ              整流用ダイオード
１１ａ、１１ｂ              第三のコンデンサ（平滑用）
２１                        交流電圧の接続端子
２２                        口金
２３                        バルブあるいは樹脂ケースあるいは樹脂モールド
２４、２４ａ、２４ｂ        発光ダイオード
３１                        電気回路
【図１】
2004248333.tif 000003
【図２】
2004248333.tif 000004
【図３】
2004248333.tif 000005
【図４】
2004248333.tif 000006
【図５】
2004248333.tif 000007
【図６】
2004248333.tif 000008
【図７】
2004248333.tif 000009
【図８】
2004248333.tif 000010